(57)【要約】【課題】径が小さく、送風量の大きい軸流フアン電動機を構成し、小型の集積回路の冷却用の装置を得ることが目的である。【解決手段】回動自在に支持された円環状のマグネット回転子と、該マグネット回転子を駆動するように外側に配設された複数個の電機子と、電機子コイルの通電制御を行なってマグネット回転子を駆動回転せしめる通電制御回路と、マグネット回転子と同軸で同期回転する円すい台と、該円すい台の外側面に設けた複数個のフアンと、該フアンにより円すい台の両側孔のいずれかより送風する手段とにより構成される。【選択図】図３
2013185580.tif 000002
【特許請求の範囲】
【請求項１】
基板に対向並置されるとともに回動自在に支持された円環状のマグネット回転子と、該マグネットの径方向に着磁された複数組のＮ，Ｓ磁極と、該Ｎ，Ｓ磁極に端部が空隙を介して対向するコ型の磁心と該磁心に捲着された電機子コイルよりなる固定電機子と、マグネット回転子に端部が固着されて同期回転する円すい台と、該円すい台の外側面に設けられ、回転とともに空気流が円すい台内部に吸引されて、両端のいずれかの基板の空孔を介して流出するように円すい台外側面に装着された複数個のフアンと、マグネット回転子の磁極の回転位置を検出して位置検知信号を得る位置検知装置と、該位置検知信号により電機子コイルの通電制御を行って、マグネット回転子と円すい台を同期回転せしめる通電制御回路とより構成されたことを特徴とする軸流フアン装置。
【発明の詳細な説明】
【技術分野】
【０００１】高密度化された小型のＩＣ（集積回路）を効率良く冷却する手段として利用される。
【背景技術】
【０００２】図６につき詳細は後述するが、周知の手段は駆動源となる電動機が中央部にあり、回転するフアン１５ａ，１５ｂ，．．．が外側にあるので、フアンが小さくなり風量が小さくなる問題点がある。ＩＣ冷却用の小型フアンとなると上述した問題点は解決困難となる。
【発明の概要】
【発明が解決しようとする課題】
【０００３】上述した従来の技術の問題点を解消し、小型偏平でＩＣの冷却効果の大きいフアンを得ることが課題である。
【課題を解決するための手段】
【０００４】基板に対向並置されるとともに回動自在に支持された円環状のマグネット回転子と、該マグネットの径方向に着磁された複数組のＮ，Ｓ磁極と、該Ｎ，Ｓ磁極に端部が空隙を介して対向するコ型の磁心と該磁心に捲着された電機子コイルよりなる固定電機子と、マグネット回転子に端部が固着されて同期回転する円すい台と、該円すい台の外側面に設けられ、回転とともに空気流が円すい台内部に吸引されて、両端のいずれかの基板の空孔を介して流出するように円すい台外側面に装着された複数個のフアンと、マグネット回転子の磁極の回転位置を検出して位置検知信号を得る位置検知装置と、該位置検知信号により電機子コイルの通電制御を行って、マグネット回転子と円すい台を同期回転せしめる通電制御回路とより構成されたものである。
【発明の効果】
【０００５】周知の軸流フアンと比較して同じ径でも５倍以上の空気流が得られ、図３に示す手段によると、小型のＩＣの冷却効果が更に増大する作用効果がある。
【図面の簡単な説明】
【０００６】
【図１】本発明装置の平面図
【図２】本発明装置の側面図
【図３】本発明装置の他の実施例の側面図
【図４】マグネット回転子の駆動原理の説明図
【図５】電機子コイルの通電制御のブロック回路図
【図６】従来の周知のフアン電動機の平面図
【発明を実施するための形態】
【０００７】図１以降について本発明の実施の形態を説明する。本発明は高密度化された小型のＩＣの冷却に利用されるもので、図１は原寸で表示されている。当然であるがこれより小型のものにも本発明を利用することができる。又ＩＣ以外の電子部品の冷却にも利用できる。図１において、基板１の空孔１ａ，１ｂ，．．．は基板を本体に締着する為のビス孔である。基板１の中央部は空孔となり、レバー２ａ，２ｂ，．．．の中央部には回転支軸３が固定され、支軸３を介してマグネット回転子６，円すい台５，フアン５ａ，５ｂ，．．．（詳細は図２，図３で説明する。）が同期回転するように構成されている。
【０００８】図２は図１を矢印Ｃ方向よりみた側面図である。図２において、円板７（図１では省略して図示していない。）の外側にマグネット回転子６が固定され、円板の外周部に円すい台５（断面のみが示されている。）の左端の外周が固定されている。円板７に固定した円筒８は支軸３により回動自在に支持される。円板７には空気流が通過する空孔が設けられる。円すい台５の外側回転面には図３につき後述するフアン５ａ，５ｂと全く同じ構成のフアンが複数個設けられている。
【０００９】マグネット回転子６と円すい台５が同期回転すると空気流は矢印の方向となり、点線Ａで示すヒートシンクの装着されたＩＣを冷却することができる。マグネット回転子６は点線４ａ，４ｂで示す駆動装置により回転せしめられるが、その手段を図４につき次に説明する。図２において記号４ａ，４ｂで示したものは、図４において記号１０ａ，１０ｂで示す電機子である。コ型の磁心１０ａ，１０ｂには電機子コイル１１ａ，１１ｂが捲着され、磁心１０ａ，１０ｂの端部は空隙を介して、マグネット回転子６のＮ，Ｓ磁極に対向している。
【００１０】磁心１０ａ，１０ｂの磁極はＮ，Ｓ極に磁化され、マグネット回転子６がその磁極巾だけ回転する毎にＮ，Ｓ磁極からＳ，Ｎ磁極になるように電機子コイル１１ａ，１１ｂは往復して通電される。従って１相の半導体電動機となるものである。図５に上述した回転の原理が示されている。図５において、マグネット回転子６の回転を検出して磁極の位置を検出して位置検知信号を得るホール素子１２の出力信号は電気回路１３により増巾され、増巾された電流により電機子１４の電機子コイル１１ａ，１１ｂの通電制御を行なってマグネット回転子６を駆動する。電気回路１３は周知の手段例えば特開平成１年２４８９８８号に開示された手段を利用することができる。
【００１１】上述した説明により理解されるように、マグネット回転子６，円板７，円すい台５は同期回転するので、図２の矢印方向の空気流を発生して記号Ａで示すＩＣを冷却することができる。図３において、円板７の空孔は除去されて１枚の円板となり空気流もなくなるように構成される。マグネント回転子６が駆動回転されると、空気流は矢印方向となり、円すい台５の外側のフアン５ａ，５ｂ及び同一構成のフアン５ｃ，５ｄにより、小型の記号Ｂで示すＩＣを冷却することができる。
【００１２】以上の説明により判るように、フアン５ｂの長さを増大することができるので冷却効果を大きくすることができる。図６に示す周知の手段よると、電動機の回転軸１５ａにより回転される回転子１５の外側のフアン１５ａ，１５ｂ，．．．は外筺１６との間の狭い空間内に配設されるので小さいフアンとなり風量が小さくなる欠点がある。特に小型とすると上述した欠点は致命的となる。本発明装置によると、フアンの長さは円すい台５の外周にあるので径が小さい場合でもフアンの長さを大きくできて有効な手段となる。
【符号の説明】
【００１３】１  基板
２ａ，２ｂ，．．．レバー
３  回転支軸
４ａ，４ｂ  電機子
５ａ，５ｂ，５ｃ，．．．フアン
６  マグネット回転子
７  円板
８  円筒
Ａ，Ｂ  集積回路とヒートシンク
１０ａ，１０ｂ  コ型の磁心
１１ａ，１１ｂ  電機子コイル
１２，１３  ホール素子とその増巾回路
１４  電機子
１５  電動機の回転子
１５ａ，１６ｂ，．．．フアン
１６  外筺
【図１】
2013185580.tif 000003
【図２】
2013185580.tif 000004
【図３】
2013185580.tif 000005
【図４】
2013185580.tif 000006
【図５】
2013185580.tif 000007
【図６】
2013185580.tif 000008